(57)【要約】【課題】スピーカにおいて、放電が発生しにくく、大きな音圧を得られるようにする。【解決手段】導電部２３の面積は振動体１０の面積より狭く、Ｚ方向から見ると導電部２３の全面が振動体１０の縁より内側にある。そして、振動体１０の縁から導電部２３までのギャップ長ｄ１は、導電部２３が絶縁部２２の全面に設けられていた場合の振動体１０の縁から導電部２３までのギャップ長ｄ２と比較して広くなっており、ギャップ長ｄ１は放電が発生しないギャップ長になっている。このため、高い電圧を導電部２３に印加して振動体１０に作用する静電力を大きくし、これにより振動体１０の変位量も大きくして大きな音圧を得ることができる。【選択図】図２
2010021646.tif 000002
【特許請求の範囲】
【請求項１】
絶縁性を有する基材層と、前記基材層の上に設けられた導電性を有する導電層とを備えた第１電極と、
絶縁性を有する基材層と、前記基材層の上に設けられた導電性を有する導電層とを備え、前記第１電極に対向して離間配置された第２電極と、
導電性を有し、前記第１電極と前記第２電極との間において前記第１電極および前記第２電極と離間して配置された振動体と、
前記振動体と前記第１電極との間に位置し、絶縁性、弾性および音響透過性を有する第１弾性部材と、
前記振動体と前記第２電極との間に位置し、絶縁性、弾性および音響透過性を有する第２弾性部材と
を有し、
前記第１電極の導電層と前記第２電極の導電層は対向し、
前記振動体の縁は対向した前記第１電極の導電層と前記第２電極の導電層の間の空間外に位置すること
を特徴とする静電型スピーカ。
【請求項２】
前記各電極においては、前記振動体の縁と対向する領域に前記導電層が設けられていないことを特徴とする請求項１に記載の静電型スピーカ。
【請求項３】
第１の厚さの基部と、前記第１の厚さより厚い凸部とを有する第１電極と、
第１の厚さの基部と、前記第１の厚さより厚い凸部とを有し、前記第１電極に対向して離間配置された第２電極と、
導電性を有し、前記第１電極と前記第２電極との間において前記第１電極および前記第２電極と離間して配置された振動体と、
前記振動体と前記第１電極との間に位置し、絶縁性、弾性および音響透過性を有する第１弾性部材と、
前記振動体と前記第２電極との間に位置し、絶縁性、弾性および音響透過性を有する第２弾性部材と
を有し、
前記第１電極の凸部と前記第２電極の凸部は対向し、
前記振動体の縁は対向した前記第１電極の凸部と前記第２電極の凸部の間の空間外に位置すること
を特徴とする静電型スピーカ。
【請求項４】
第１の厚さの基部と、前記第１の厚さより薄い凹部とを有する第１電極と、
第１の厚さの基部と、前記第１の厚さより薄い凹部とを有し、前記第１電極に対向して離間配置された第２電極と、
導電性を有し、前記第１電極と前記第２電極との間において前記第１電極および前記第２電極と離間して配置された振動体と、
前記振動体と前記第１電極との間に位置し、絶縁性、弾性および音響透過性を有する第１弾性部材と、
前記振動体と前記第２電極との間に位置し、絶縁性、弾性および音響透過性を有する第２弾性部材と
を有し、
前記第１電極の凹部と前記第２電極の凹部は対向し、
前記振動体の縁は対向した前記第１電極の凹部と前記第２電極の凹部の間の空間内に位置すること
を特徴とする静電型スピーカ。
【発明の詳細な説明】
【技術分野】
【０００１】
本発明は、静電型スピーカに関する。
【背景技術】
【０００２】
静電型スピーカは、間隔を開けて向かい合う２枚の平行平面電極と、この２枚の電極の間に挿入された導電性を有するシート状の振動体とから構成されており、振動体に所定のバイアス電圧を印加しておき、電極に印加する電圧を変化させると振動体に作用する静電力が変化し、これにより振動体が変位する。この印加電圧を入力される音響信号に応じて変化させれば、それに応じて振動体は変位を繰り返し（すなわち振動し）、音響信号に応じた音響波が振動体から発生する。そして、発生した音響波は平面電極に空けられた孔を通り抜けて外部へ放射される。
【０００３】
そして、静電型スピーカの中には非特許文献１に開示されているように振動体と電極との間にエステルウールを配置し、振動体に張力を掛けず振動体の縁部分を拘束しない構造の静電型スピーカも考案されている。この構成によれば、振動体に張力を掛けていた場合と比較して振動体に発生するモードが改善されており、また、振動体には張力が掛けられていないため振動体を大きく振動させて大きな音圧を得ることも可能となっている。
【０００４】
【非特許文献１】岡崎正倫、外４名、「全帯域でピストン振動する振動板を持つコンデンサスピーカとその応用」、日本音響学会２００４年度秋季研究発表会講演論文集、日本音響学会、平成１６年９月、ｐ．５６３−５６４
【発明の開示】
【発明が解決しようとする課題】
【０００５】
ところで、静電型スピーカの振動体は、その厚さが数μｍから数十μｍの厚さとなっていて非常に薄く、導電性を有する金属の薄膜層が両面全体に形成されており、その縁部分は鋭くなっていて針電極と同様になっている。このような振動体を非特許文献１に記載されているように縁部分を拘束せず２枚の電極間に配置すると、縁部分では強い電場が発生し、電極の面同士が対向している部分と比較して放電が起こりやすくなる。
静電型スピーカにおいては、振動体を振動させるために電極に高い電圧をかける必要があるが、このように放電が起こりやすいと電極に高い電圧をかけることが難しくなる。そして、電極に高い電圧を掛けられないと、振動体に作用する静電力が弱くなるため、振動体の変位量も小さくなり大きな音圧を得られなくなる。
【０００６】
本発明は、上述した背景の下になされたものであり、放電が発生しにくく大きな音圧を得られる技術を提供することを目的とする。
【課題を解決するための手段】
【０００７】
上述した課題を解決するために本発明は、絶縁性を有する基材層と、前記基材層の上に設けられた導電性を有する導電層とを備えた第１電極と、絶縁性を有する基材層と、前記基材層の上に設けられた導電性を有する導電層とを備え、前記第１電極に対向して離間配置された第２電極と、導電性を有し、前記第１電極と前記第２電極との間において前記第１電極および前記第２電極と離間して配置された振動体と、前記振動体と前記第１電極との間に位置し、絶縁性、弾性および音響透過性を有する第１弾性部材と、前記振動体と前記第２電極との間に位置し、絶縁性、弾性および音響透過性を有する第２弾性部材とを有し、前記第１電極の導電層と前記第２電極の導電層は対向し、前記振動体の縁は対向した前記第１電極の導電層と前記第２電極の導電層の間の空間外に位置することを特徴とする静電型スピーカを提供する。
【０００８】
本発明においては、前記各電極においては、前記振動体の縁と対向する領域に前記導電層が設けられていない構成としてもよい。
【０００９】
また、本発明は、第１の厚さの基部と、前記第１の厚さより厚い凸部とを有する第１電極と、第１の厚さの基部と、前記第１の厚さより厚い凸部とを有し、前記第１電極に対向して離間配置された第２電極と、導電性を有し、前記第１電極と前記第２電極との間において前記第１電極および前記第２電極と離間して配置された振動体と、前記振動体と前記第１電極との間に位置し、絶縁性、弾性および音響透過性を有する第１弾性部材と、前記振動体と前記第２電極との間に位置し、絶縁性、弾性および音響透過性を有する第２弾性部材とを有し、前記第１電極の凸部と前記第２電極の凸部は対向し、前記振動体の縁は対向した前記第１電極の凸部と前記第２電極の凸部の間の空間外に位置することを特徴とする静電型スピーカを提供する。
【００１０】
また、本発明は、第１の厚さの基部と、前記第１の厚さより薄い凹部とを有する第１電極と、第１の厚さの基部と、前記第１の厚さより薄い凹部とを有し、前記第１電極に対向して離間配置された第２電極と、導電性を有し、前記第１電極と前記第２電極との間において前記第１電極および前記第２電極と離間して配置された振動体と、前記振動体と前記第１電極との間に位置し、絶縁性、弾性および音響透過性を有する第１弾性部材と、前記振動体と前記第２電極との間に位置し、絶縁性、弾性および音響透過性を有する第２弾性部材とを有し、前記第１電極の凹部と前記第２電極の凹部は対向し、前記振動体の縁は対向した前記第１電極の凹部と前記第２電極の凹部の間の空間内に位置することを特徴とする静電型スピーカを提供する。
【発明の効果】
【００１１】
本発明によれば、放電が発生しにくく大きな音圧を得ることができる。
【発明を実施するための最良の形態】
【００１２】
［第１実施形態］
図１は本発明の一実施形態に係る静電型スピーカ１の外観を模式的に示した図、図２は静電型スピーカ１の断面および電気的構成を模式的に示した図、図３は静電型スピーカ１の分解斜視図である。
図に示したように、この静電型スピーカ１は、振動体１０、電極２０Ｕ，２０Ｌ、スペーサ３０Ｕ，３０Ｌ、およびクッション材４０Ｕ，４０Ｌを有している。なお、本実施形態においては、電極２０Ｕ，２０Ｌの構成は同じであり、スペーサ３０Ｕ，３０Ｌの構成は同じであるため、各部材において両者を区別する必要が特に無い場合は「Ｌ」および「Ｕ」の記載を省略する。また、クッション材４０Ｕ，４０Ｌについても両者の構成は同じであるため、両者を区別する必要が特に無い場合は「Ｌ」および「Ｕ」の記載を省略する。
また、図中の各構成要素の寸法は、構成要素の形状を容易に理解できるように実際の寸法とは異ならせてある。また、図中、「○」の中に「・」が記載されたものは図面の裏から表に向かう矢印を意味するものとする。
【００１３】
（静電型スピーカ１の各部の構成）
まず、静電型スピーカ１を構成する各部について説明する。
振動体１０は、例えば、ＰＥＴ（polyethylene terephthalate、ポリエチレンテレフタレート）またはＰＰ（polypropylene、ポリプロピレン）などのフィルムの両面に、導電性を有する金属を蒸着あるいは導電性塗料を塗布したものであり、その厚さは数μｍ〜数十μｍ程度の厚さとなっている。なお、本実施形態においては、振動体１０はフィルムの両面に導電性を有する金属を蒸着あるいは導電性塗料を塗布したものとなっているが、フィルムの片面にのみ導電性を有する金属を蒸着あるいは導電性塗料を塗布したものであってもよい。
スペーサ３０は、絶縁体で形成されており、その形状は図３に示したように矩形の枠の形状となっている。
クッション材４０は、綿に熱を加えて圧縮したものであって空気の通過が可能となっており、その形状は矩形となっている。クッション材４０は、弾性を有しており、外部から力を加えられると変形し、外部から加えられた力が取り除かれると元の形状に戻る。
【００１４】
電極２０は、絶縁性を有する材料（例えば、ベークライト、エポキシ樹脂などの電気を通さない材料）を矩形の板状に加工した絶縁部２２と、導電性を有する金属で絶縁部２２の一方の面に形成された矩形の導電部２３とで構成されている。そして、本実施形態においては、絶縁部２２の四辺のうちの一辺については縁部分まで導電部２３が形成されているが、絶縁部２２の残りの三辺については縁から一定の幅で導電部２３が形成されてなく、導電部２３の面積は絶縁部２２の面積より小さく、且つ、振動体１０の面積より小さくなっている。また、電極２０においては、音響透過性を確保するために電極２０の表面から裏面にかけて絶縁部２２と導電部２３を貫通する貫通孔２１が所定間隔で複数設けられている。
なお、本発明においては、絶縁部２２は絶縁体であれば紙にエポキシ樹脂を含浸させたものや、ガラス繊維を重ねてエポキシ樹脂を含浸させたものなどであってもよい。本実施形態に係る電極２０は、絶縁性を有する材料の表面に導電性を有する金属の層を有する構成、即ち、一般的なプリント基板と同様の構成であるため、一般的なプリント基板を作るのと同様にエッチングなどの方法で容易に作ることができる。
【００１５】
（静電型スピーカ１の構造）
次に静電型スピーカ１の構造について説明する。
静電型スピーカ１においては、スペーサ３０Ｕとスペーサ３０Ｌは、スペーサ３０Ｕの下面とスペーサ３０Ｌの上面との間に振動体１０の一辺を挟んで互いに固着されている。また、静電型スピーカ１においては、電極２０Ｌはスペーサ３０Ｌの下面に固着され、電極２０Ｕはスペーサ３０Ｕの上面に固着されている。なお、ここで電極２０Ｌの導電部２３と電極２０Ｕの導電部２３は振動体１０の側に向けられている。
そして、静電型スピーカ１においては、枠形のスペーサ３０Ｌの内側にクッション材４０Ｌが配置されており、クッション材４０Ｌが振動体１０と電極２０Ｌとに接触している。また、枠形のスペーサ３０Ｕの内側にもクッション材４０Ｕが配置されており、クッション材４０Ｕが振動体１０と電極２０Ｕとに接触している。
【００１６】
本実施形態においては、振動体１０は一辺のみがスペーサ３０Ｕとスペーサ３０Ｌとの間に挟まれ、残りの三辺はスペーサ３０Ｕとスペーサ３０Ｌとの間に挟まれていない状態、即ち、張力を掛けられていない状態で電極２０Ｕと電極２０Ｌの間に位置することになるが、クッション材４０Ｕとクッション材４０Ｌが振動体１０を挟んで支持しているため、振動体１０が駆動されない状態においては、振動体１０は電極２０Ｕと電極２０Ｌとの間の中間の位置に位置する。
【００１７】
また、図４は電極２０Ｌと振動体１０のみを図示し、静電型スピーカ１を組み上げた時の導電部２３と振動体１０の位置及び大きさの関係を示した図であるが、図に示したように導電部２３の面積は振動体１０の面積より狭く、Ｚ方向から見ると導電部２３の全面が振動体１０の縁より内側にある。なお、図４においては、電極２０Ｌの導電部２３と振動体１０と位置と大きさの関係を示しているが、電極２０Ｕと振動体１０との間においても電極２０Ｕの導電部２３の面積は振動体１０の面積より狭く、Ｚ方向から見ると電極２０Ｕの導電部２３は全面が振動体１０の縁より内側にある。
【００１８】
（静電型スピーカ１の電気的構成）
次に、静電型スピーカ１の電気的構成について説明する。図２に示したように、静電型スピーカ１は変圧器５０、外部から音響信号が入力される入力部６０、振動体１０に対して直流バイアスを与えるバイアス電源７０を備えたプッシュプル型の静電型スピーカである。バイアス電源７０は、振動体１０と変圧器５０の出力側の中点と接続されており、電極２０Ｕは変圧器５０の出力側の一端に接続され変圧器５０の出力側のもう一端には電極２０Ｌが接続されている。また、変圧器５０の入力側は入力部６０に接続されている。この構成においては、入力部６０に音響信号が入力されると入力された音響信号に応じた電圧が電極２０に印加される。
【００１９】
（静電型スピーカ１の動作）
次に、静電型スピーカ１の動作について説明する。
入力部６０に音響信号が入力されると、入力された音響信号に応じた電圧が変圧器５０から電極２０Ｕの導電部２３と電極２０Ｌの導電部２３に印加される。そして、印加された電圧によって電極２０Ｕの導電部２３と電極２０Ｌの導電部２３との間に電位差が生じると、電極２０Ｕと電極２０Ｌとの間にある振動体１０には、電極２０Ｕと電極２０Ｌのいずれかの側へ引き寄せられるような静電力が働く。
【００２０】
例えば、入力部６０に音響信号が入力され、この音響信号が変圧器５０に供給されて電極２０Ｕの導電部２３にプラスの電圧が印加され、電極２０Ｌの導電部２３にマイナスの電圧が印加されると、振動体１０にはバイアス電源７０によりプラスの電圧が印加されているため、振動体１０は、プラスの電圧が印加されている電極２０Ｕの導電部２３と反発する一方、マイナスの電圧が印加されている電極２０Ｌの導電部２３に吸引され、電極２０Ｌ側（Ｚ方向と反対方向）へ変位する。
【００２１】
また、入力部６０に音響信号が入力され、この音響信号が変圧器５０に供給されて電極２０Ｕの導電部２３にマイナスの電圧が印加され、電極２０Ｌの導電部２３にプラスの電圧が印加されると、振動体１０はプラスの電圧が印加されている電極２０Ｌの導電部２３と反発する一方、マイナスの電圧が印加されている電極２０Ｕの導電部２３に吸引され、電極２０Ｕ側（Ｚ方向）へ変位する。
【００２２】
このように、振動体１０が音響信号に応じて図のＺ方向とＺ方向の逆方向に変位し(撓み)、その変位方向が逐次変わることによって振動となり、その振動状態（振動数、振幅、位相）に応じた音が振動体１０から発生する。発生した音は、少なくとも電極２０Ｕまたは電極２０Ｌの一方を通り抜けて静電型スピーカ１の外部に放射される。
【００２３】
なお、本実施形態においては、図２に示したように、振動体１０の縁は、対向した電極２０Ｕの導電部２３と電極２０Ｌの導電部２３との間の空間より外側に位置し、振動体１０の縁から導電部２３までのギャップ長ｄ１は、導電部２３が絶縁部２２の全面に設けられていた場合の振動体１０の縁から導電部２３までのギャップ長ｄ２と比較して広くなっている。
振動体１０の縁部分は針電極と同様であり、縁部分と導電部２３との間の関係は針電極−平板の関係となるため、電圧を印加したときに縁部分と導電部２３との間において放電が発生するときの電圧（以下、限界電圧という）は、縁部分と導電部２３の平面部分とのギャップ長がｄ２だと、振動体１０の平面部分と導電部２３の平面部分との間（平板−平板の関係）で放電が発生するときの限界電圧より低くなる。
しかしながら、本実施形態においては、振動体１０の縁部分と導電部２３との間の限界電圧が振動体１０の平面部分と導電部２３の平面部分との間の限界電圧と同じになるように、振動体１０の縁部分から導電部２３までのギャップ長ｄ１が設定されており、振動体１０の縁部分と導電部２３との間で放電が発生しないようになっている。
このため、本実施形態においては高い電圧を導電部２３に印加して振動体１０に作用する静電力を大きくし、これにより振動体１０の変位量も大きくして大きな音圧を得ることができる。
【００２４】
［第２実施形態］
次に本発明の第２実施形態について説明する。
図５は本実施形態に係る静電型スピーカ１Ａの分解斜視図、図６は静電型スピーカ１Ａの断面と電気的構成を模式的に示した図である。本実施形態に係る静電型スピーカ１Ａは、振動体１０、電極２０ＵＡ，２０ＬＡ、スペーサ３０Ｕ，３０Ｌ、およびクッション材４０Ｕ，４０Ｌを有している。静電型スピーカ１Ａは、外観は第１実施形態の静電型スピーカ１と同じであり、各部材についても振動体１０、スペーサ３０Ｕ，３０Ｌおよびクッション材４０Ｕ，４０Ｌは第１実施形態と同じ構成となっているが、振動体１０を振動させるための電極の構成が第１実施形態と異なっている。
【００２５】
電極２０ＵＡ，２０ＬＡは、側面（Ｘ方向、Ｙ方向）から見たときに凸形状となるように導電性を有する板状の金属を加工したものであり、図５に示したように矩形で板状の基部２４と、Ｚ方向から見て矩形であってＸ方向（Ｙ方向）から見て凸形の凸部２５を有する。また、電極２０ＵＡ，２０ＬＡには、音響透過性を確保するために表面から裏面にかけて基部２４と凸部２５を貫通する貫通孔２１が所定間隔で複数設けられている。
【００２６】
（静電型スピーカ１Ａの構造）
次に静電型スピーカ１Ａの構造について説明する。
静電型スピーカ１Ａにおいては、スペーサ３０Ｕとスペーサ３０Ｌは、スペーサ３０Ｕの下面とスペーサ３０Ｌの上面との間に振動体１０の一辺を挟んで互いに固着されている。また、静電型スピーカ１Ａにおいては、電極２０ＬＡはスペーサ３０Ｌの下面に固着され、電極２０ＵＡはスペーサ３０Ｕの上面に固着されている。ここで、電極２０ＬＡの凸部２５と電極２０ＵＡの凸部２５は、振動体１０の側に向けられている。
そして、静電型スピーカ１Ａにおいては、枠形のスペーサ３０Ｌの内側にクッション材４０Ｌが配置されており、クッション材４０Ｌが振動体１０と電極２０ＬＡの基部２４及び凸部２５とに接触している。また、枠形のスペーサ３０Ｕの内側にクッション材４０Ｕが配置されており、クッション材４０Ｕが振動体１０と電極２０ＵＡの基部２４及び凸部２５とに接触している。
【００２７】
本実施形態においては、振動体１０は一辺のみがスペーサ３０Ｕとスペーサ３０Ｌとの間に挟まれ、残りの三辺はスペーサ３０Ｕとスペーサ３０Ｌとの間に挟まれていない状態、即ち、張力を掛けられていない状態で電極２０ＵＡと電極２０ＬＡの間に位置するが、クッション材４０Ｕとクッション材４０Ｌが振動体１０を挟んで支持しているため、振動体１０が駆動されない状態においては、振動体１０は電極２０ＵＡと電極２０ＬＡとの間の中間の位置に位置する。
【００２８】
また、図７は電極２０ＬＡと振動体１０のみを図示し、静電型スピーカ１Ａを組み上げた時の電極２０ＬＡと振動体１０の位置及び大きさの関係を示した図であるが、図に示したように凸部２５の面積は振動体１０の面積より狭く、Ｚ方向から見ると凸部２５の全面が振動体１０の縁より内側にある。なお、図７においては、電極２０ＬＡの凸部２５と振動体１０と位置と大きさの関係を示しているが、電極２０ＵＡと振動体１０との間においても電極２０ＵＡの凸部２５の面積は振動体１０の面積より狭く、Ｚ方向から見ると電極２０ＵＡの凸部２５は全面が振動体１０の縁より内側にある。
【００２９】
（静電型スピーカ１Ａの電気的構成）
次に、静電型スピーカ１の電気的構成について説明する。図６に示したように、静電型スピーカ１Ａも変圧器５０、入力部６０、バイアス電源７０を備えたプッシュプル型の静電型スピーカである。静電型スピーカ１Ａにおいては、電極２０ＵＡが変圧器５０の出力側の一端に接続されており、電極２０ＬＡが変圧器５０の出力側のもう一端に接続されている。
【００３０】
（静電型スピーカ１Ａの動作）
次に、静電型スピーカ１Ａの動作について説明する。
入力部６０に音響信号が入力されると、入力された音響信号に応じた電圧が電極２０ＵＡ，２０ＬＡに印加される。そして、印加された電圧によって電極２０ＵＡと電極２０ＬＡとの間に電位差が生じると、電極２０ＵＡと電極２０ＬＡとの間にある振動体１０には、電極２０ＵＡと電極２０ＬＡのいずれかの側へ引き寄せられるような静電力が働く。
【００３１】
そして、振動体１０が音響信号に応じて図のＺ方向とＺ方向の逆方向に変位し(撓み)、その変位方向が逐次変わることによって振動となり、その振動状態（振動数、振幅、位相）に応じた音が振動体１０から発生する。発生した音は、少なくとも電極２０ＵＡまたは電極２０ＬＡの一方を通り抜けて静電型スピーカ１の外部に放射される。
【００３２】
なお、本実施形態においては、電極２０ＵＡの凸部２５と電極２０ＬＡの凸部２５が対向している部分では、振動体１０から電極までのギャップが狭くなっているため、振動体１０が静電力に応じて感度よく変位する。
また、本実施形態においては、振動体１０の縁部分と凸部２５との間の限界電圧が振動体１０の平面部分と凸部２５の平面部分との間の限界電圧と同じになるように、振動体１０の縁部分から凸部２５までのギャップ長が設定されており、振動体１０の縁部分と凸部２５との間で放電が発生しないようになっている。このため、本実施形態においては高い電圧を導電部２３に印加して振動体１０に作用する静電力を大きくし、これにより振動体１０の変位量も大きくして大きな音圧を得ることができる。
【００３３】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３４】
本発明に係る静電型スピーカにおいては、クッション材４０は綿に限定されるものではない。力を加えられると変形し、加えられた力が取り除かれると元の形状に戻り、且つ、絶縁性と音響透過性を有しているのであれば他の部材（エステルウールなど）であってもよい。
また、本発明においては、電極２０Ｕ，２０Ｌ、電極２０ＵＡ，２０ＬＡ、スペーサ３０、クッション材４０、および振動体１０の形状は矩形に限定されるものではなく、多角形、円形、楕円形など、他の形状であってもよい。
【００３５】
上述した第２実施形態においては、凸部２５の角部分に丸みを付けるようにしてもよい。
【００３６】
第１実施形態のように絶縁部２２の上に導電部２３を設ける場合、図８に示した電極２０Ａのように、帯状に絶縁部２２が露出した領域Ａを設け、電極２０Ａをスペーサ３０に固着した時に、この領域Ａと振動体１０の縁とが対向するようにしてもよい。なお、この電極２０Ａを電極２０Ｕ，２０Ｌとして使用する場合、対向した電極２０Ｕ側の領域Ａと電極２０Ｌ側の領域Ａとの間の空間内に振動体１０の縁が位置するように振動体１０を配置する。この構成においても、振動体１０の縁から導電部２３までのギャップ長は、振動体１０の縁が導電部２３に対向する場合より広くなるため、振動体１０の縁部分で放電が発生しにくくなる。
【００３７】
また、第２実施形態のように導電性を有する金属を加工して電極とする場合、図９に示した電極２０Ｂのように凹部２６を設け、電極２０Ｂをスペーサ３０に固着した時に、この凹部２６と振動体１０の縁とが対向するようにしてもよい。なお、この電極２０Ｂを電極２０Ｕ，２０Ｌとして使用する場合、各電極の凹部２６が対向するようにし、対向した電極２０Ｕ側の凹部２６と電極２０Ｌ側の凹部との間の空間内に振動体１０の縁が位置するように振動体１０を配置する。この構成においても振動体１０の縁から電極までのギャップ長は、振動体１０の縁部分が凹部２６ではないところに対向する場合より広くなるため、振動体１０の縁部分で放電が発生しにくくなる。
なお、本発明に係る電極は、図５に示した凸部２５と、図９に示した凹部２６の両方を有し、振動体１０の縁が凹部２６と対向する構成であってもよい。
【図面の簡単な説明】
【００３８】
【図１】本発明の一実施形態に係る静電型スピーカ１の外観図である。
【図２】静電型スピーカ１の断面と電気的構成の模式図である。
【図３】静電型スピーカ１の分解斜視図である。
【図４】導電部２３と振動体１０との位置と大きさの関係を示した図である。
【図５】本発明の第２実施形態に係る静電型スピーカ１Ａの分解斜視図である。
【図６】静電型スピーカ１Ａの断面と電気的構成の模式図である。
【図７】電極２０ＬＡと振動体１０との位置と大きさの関係を示した図である。
【図８】本発明の変形例に係る電極２０Ａの外観図である。
【図９】本発明の変形例に係る電極２０Ｂの外観図である。
【符号の説明】
【００３９】
１，１Ａ・・・静電型スピーカ、１０・・・振動体、２０Ａ，２０Ｂ，２０Ｕ，２０Ｌ，２０ＵＡ，２０ＬＡ・・・電極、２１・・・孔、２２・・・絶縁部、２３・・・導電部、２４・・・基部、２５・・・凸部、２６・・・凹部、３０Ｕ，３０Ｌ・・・スペーサ、４０Ｕ，４０Ｌ・・・クッション材、５０・・・変圧器、６０・・・入力部、７０・・・バイアス電源
【図１】
2010021646.tif 000003
【図２】
2010021646.tif 000004
【図３】
2010021646.tif 000005
【図４】
2010021646.tif 000006
【図５】
2010021646.tif 000007
【図６】
2010021646.tif 000008
【図７】
2010021646.tif 000009
【図８】
2010021646.tif 000010
【図９】
2010021646.tif 000011